(57)【特許請求の範囲】
【請求項１】
建物の基礎に損傷を与えることなく、水回り設備の排水用枝管の管端末を屋外に引き出すためのものであって、
建物の基礎上に付設される土台の奥行よりも長い奥行を有し、かつ内部に水回り設備からの排水用配管を挿通させるための、下部が開口する空間部を有する構造主体と、
前記基礎上の分断された土台間に前記構造主体を、前記開口を下にして配置した際、左右の張出部がそれぞれ各土台の前面部と当接するよう、前記構造主体の先端側に連結板が一体的に付設されていること
を特徴とする建物における配管用構造体。
【請求項２】
前記構造主体は、
断面チャンネル状であること
を特徴とする請求項１に記載の建物における配管用構造体。
【請求項３】
前記連結板は、
矩形状の板状体の中央下方に、前記構造主体の外形とほぼ同形の切欠部が形成され、かつ左右の張出部には、当該張出部を各土台の前面部に固定するための固定具を挿通するための挿通孔がそれぞれ形成されていること
を特徴とする請求項１に記載の建物における配管用構造体。
【発明の詳細な説明】
【技術分野】
【０００１】
この発明は、戸建て住宅における水回り設備の排水、特に浴室からの排水のために使用される配管用構造物に関するものであって、配管技術にかかるものである。
【背景技術】
【０００２】
戸建て住宅や集合住宅などにおける日常生活で生じる排水は、一般的にキッチン、洗濯機置き場、洗面所、さらには浴室、トイレなどの水回り設備に付設された排水用枝管を建物の基礎内に配管し、当該基礎に形成した配管用のスリーブ（貫通孔）を介して基礎外に埋設配管された排水主管に送られ、この排水主管を介して敷地内に配設された排水マスを通じて公道下に埋設された下水道に送られる。
【０００３】
かかる排水システムの一例として、例えば、特開２００１−２２０７９１号公報（特許文献１）における住宅用排水システムが提案されている。
この住宅用排水システムは、建物の基礎に形成するスリーブが一箇所で済み、建物の基礎の強度低下が生じず、排水管路内の点検や清掃などの維持管理を容易に行うことができるとともに、掘削工事などの土工費用を大幅に削減でき、狭小な宅地であっても有効に活用できるとされている。
【０００４】
より具体的には、この住宅用排水システムは、建物の床下にて、排水主管が建物の外周基礎の内側に沿って配管される。
前記排水主管の所定位置にて、建物内に設置された各種排水設備に接続されている排水枝管の流出側端部が接続されるとともに、排水主管の下流側端部が建物の外周基礎の外側地中に埋設された排水桝の流入側接続部と接続される。
【０００５】
一方、浴室からの排水の一例としては、例えば、特開平０７−１１３２５５号公報（特許文献２）で示されるような排水管配設構造が提案されている。
【０００６】
この浴室ユニットの排水管配設構造は、洗い場を形成する防水パンと浴槽とを含み、これら防水パンおよび浴槽には排水口が設けられ、この排水口には予め所定長さの排水管が取り付けられてなる浴室ユニットの排水管配設構造であって、前記排水管は、建物の基礎に形成された通気口に向けて、この通気口付近に至る長さで横引きされて取り付けられるものである。
【０００７】
また、実用新案登録第３０１０４１４号公報（特許文献３）においては、浴槽からの排水を直接下水配管に流す方法が提案されている。
【先行技術文献】
【特許文献】
【０００８】
【特許文献１】特開２００１−２２０７９１号公報（特許請求の範囲）
【特許文献２】特開平０７−１１３２５５号公報（特許請求の範囲，図１）
【特許文献３】実用新案登録第３０１０４１４号公報（要約，図１）
【発明の概要】
【発明が解決しようとする課題】
【０００９】
前記特許文献１に記載の住宅用排水システムは、建物の基礎に形成するスリーブを一カ所で済ませることができるので、前記基礎の強度を損なうことがなく、施工が容易であるなどの効果を奏するとされている。
しかしながら、基礎の強度を損なうおそれのある貫通孔を形成することを必須の構成要件とするもので、この貫通孔に配管を挿通させたのちは、基礎内に害虫などが入り込むことを防止し、かつ外観を美麗に保つ観点から、その周囲を補修する必要がある。
【００１０】
また、排水主管は建物の外周基礎の内側に沿って床下に配管されるので、点検作業や取り替え作業に際しては、排水主管が配置されている床面を取り外し、作業員が内部に入り込む必要があるもので、必ずしも前記保守・点検作業や取り替え作業が容易であるとは言い得ない。
【００１１】
前記特許文献２に記載の浴室ユニットの排水管配設構造は、きわめて一般的なものであって、一端側が浴槽の排水口に繋がる排水管の他端側は、基礎に設けられた通気孔を介して外部に引き出されるものであるため、基礎自体の強度が低下するとともに、前記通気孔の周辺は配管後に外観上の体裁を整えるため、補修工事が必要となる。
【００１２】
前記特許文献３に記載の浴槽用排水構造は、浴槽からの排水を下水配管に直接流す方式を採用しているが、その基礎には、図１に示されるように開口を形成し、この開口に枠体と開口部蓋体からなる金属製遮断手段を配置し、基礎内の換気や保守点検を行うことができるようにしている。
【００１３】
いずれにしても、従来の配管技術は、建物の基礎に配管のための貫通孔や保守点検のための開口部を設ける必要があるので、配管工事を簡単かつ容易に実施することがきわめて難しく、コスト面でも有利なものではない。
【００１４】
この発明はかかる現状に鑑み、建物内に配置される水回り設備の排水のための排水用枝管の屋内配管を最小限に抑え、前記各水回り設備からの排水用枝管を、建物の基礎に貫通孔を設けるなどの損傷を与えることなく、屋外に引き出すことのできる建物における配管用構造体を提供せんとすることを目的としたものである。
【課題を解決するための手段】
【００１５】
この発明は前記の目的を達成するため、請求項１に記載の発明は、
建物の基礎に損傷を与えることなく、水回り設備の排水用枝管の管端末を屋外に引き出すためのものであって、
建物の基礎上に付設される土台の奥行よりも長い奥行を有し、かつ内部に水回り設備からの排水用配管を挿通させるための、下部が開口する空間部を有する構造主体と、
前記基礎上の分断された土台間に前記構造主体を、前記開口を下にして配置した際、左右の張出部がそれぞれ各土台の前面部と当接するよう、前記構造主体の先端側に連結板が一体的に付設されていること
を特徴とする建物における配管用構造体である。
【００１６】
この発明の請求項２に記載の発明は、
請求項１に記載の建物における配管用構造体において、
前記構造主体は、
断面チャンネル状であること
を特徴とするものである。
【００１７】
この発明の請求項３に記載の発明は、
請求項１に記載の建物における配管用構造体において、
前記連結板は、
矩形状の板状体の中央下方に、前記構造主体の外形とほぼ同形の切欠部が形成され、かつ左右の張出部には、当該張出部を各土台の前面部に固定するための固定具を挿通するための挿通孔がそれぞれ形成されていること
を特徴とするものである。
【発明の効果】
【００１８】
この発明にかかる建物の配管用構造物は、内部に水回り設備からの排水枝管を挿通させるための空間部を有する構造主体と、この構造主体の先端部近傍に一体的に付設され、前記構造主体を建物の基礎上に配置された土台に固定するための連結板とで構成されているので、前記構造主体を、水回り設備の排水用枝管を外部に引き出したい位置で分割された土台間に装置することによって、建物を支持する基礎に一切の加工を施すことなく、水回り設備からの排水を外部に排出させることができる。
【００１９】
特に、この発明の建物の配管用構造物は、水回り設備の排水用枝管を外部に突出させたい位置と相対する基礎上の土台を切断分割し、分断された土台間の基礎上に排水枝管用の空間部を有する構造主体を載置し、しかるのち、左右の土台の切断面を前記構造主体の側面に密着させた状態で、前記構造主体の左右先端部に設けられた張出部をそれぞれの土台の前面部にボルトなどを使用して固着させるという簡易な手段で、水回り設備の排水用枝管を外部に突出させることができるので、熟練した技術を要することなく、かつ効率よく配管工事をすることができる。
【図面の簡単な説明】
【００２０】
【図１】この発明にかかる建物の配管用構造物の一例を示す斜視図である。
【図２】図１に示す配管用構造物の使用状態を示す斜視図である。
【発明を実施するための形態】
【００２１】
以下、この発明のかかる建物の配管用構造物の一例を、添付の図面に基づいて具体的に説明するが、この発明は実施例にのみ限定されるものではなく、その要旨を変更しない範囲内において種々変更を加えることができる。
【００２２】
この発明の建物の配管用構造物１は、図１で明らかなように、水回り設備の排水枝管２を挿通させるための空間部Ｓを有する構造主体３と、この構造主体３の先端部近傍（屋外側）に一体的に設けられる連結板４とから構成されるものである。
【００２３】
前記構造主体３は、ステンレスなどの鋼材からなる断面チャンネル状のもので、その長さは、建物の基礎１０上に土台１１の奥行ｄよりも少し長く設定され、その高さは土台１１の高さｈと同一のものである。
【００２４】
この構造主体１の場合、その開口部を下にして基礎１０上に配置することによって、基礎１０と構造主体１との間に生じる矩形状の空間部を、排水用枝管２の挿通部とするものである。
【００２５】
なお、この構造主体３は、分断された土台１１ａ，１１ｂとの間に介装することができるとともに、屋内から延びる排水用枝管２を外部に引き出すための空間部Ｓを有していれば、断面チャンネル状以外に、断面カマボコ型や断面方形ないし矩形状のものであってもよいが、構造主体３の側面と前記分断された土台１１ａ，１１ｂの切断面との接合面積が大きいほど、構造主体３を安定して基礎１０上に保持することができる。
【００２６】
前記連結板４は、前記構造主体３と同質の鋼材によって所要の厚みと幅の板状体に形成したものである。
この連結板４は、前記構造主体３の先端部近傍、具体的には、土台１１の奥行ｄより若干外側に一体的に付設されるものである。
より具体的には、分断された土台１１ａ，１１ｂ間に構造主体３を介装させた際、前記連結板４の背面が、前記土台１１ａ，１１ｂと当接する位置に取付けるものである。
【００２７】
なお、前記連結板４の底面の中央部には、前記構造主体３と同形の切欠き部４ａが形成されたもので、この切欠き部４ａに前記構造主体３の先端部近傍を跨ぐように嵌め込み、両者の接合部を溶接などの手段によって一体的に固着したものである。
【００２８】
また、前記連結板４は、前記のように切欠き部４ａの左右に位置する張出部４ｂ，４ｃの背面が、前記土台１１ａ，１１ｂと当接するので、張出部４ｂ，４ｃの長さは長いほど接合面積が大きくなるが、接合強度を保持できる長さであればよい。
【００２９】
さらに、この連結板４の左右の張出部４ｂ，４ｃには、当該張出部４ｂ，４ｃと土台１１ａ，１１ｂとを一体的に固着するためのボルト等の固定具を挿通するための挿通孔５が複数形成されている。
【００３０】
以下、かかる構成の配管用構造物１を使用して、１階に設置されたバスルームＢの排水を、排水用枝管２を介して建物の外壁１２外に引き出すための実施例を説明する。
【００３１】
この実施例は、建物内に配置された水回り設備への給排水は、すべて外配管方式としている。
図中、１３は１階に設けられたトイレの排水を外部に引き出すための排水用枝管、１４は前記排水用枝管１３の先端部が連結された排水集合管、１５は前記排水集合管を一定の流れ勾配に保持するための勾配保持具である。
【００３２】
例えば、建物の１階部分にバスルームＢを設置する場合、バスルームＢの床面１６上に直接バス１７を設置すると、バス１７の高さが高くなってバス１７への出入りに支障が生じるおそれがある。
そのため、バス１７の底部を、図２に示すように、床面１６下に下げた場合、その排水用枝管２は、基礎１０に挿通孔を形成する以外、先に述べたように直接建物１の外壁１２外に引き出すことができない。
【００３３】
この発明における配管構造物１は、基礎１２に貫通孔を形成することなく、排水枝管２を外部に引き出す手段として使用するものである。
【００３４】
具体的に手順について説明すると、バスルームＢを所定の部位に設置したのち、バス１７及び／又は洗い場からの排水を外部に流出させる排水枝管２を、最も近い外壁１２側に引き出すように床面１６下に配管するとともに、当該排水枝管２の管端が相対する土台１１の対応部位を左右方向に分断できるように切断する。
【００３５】
しかるのち、分断された土台１１ａと１１ｂとの間に前記した配管構造物１を、図１および図２で示すように、構造主体３の空間部Ｓの開口部を下方にして基礎１０上に配置する。
【００３６】
ついで、前記分断された左右の土台１１ａと１１ｂの切断面を、それぞれ前記構造主体３の側面に当接する。
その際、当然のことながら、前記構造主体３の先端部近傍に一体的に固着された連結板４は、その裏面が各土台１１ａと１１ｂの前面部と当接することになる。
【００３７】
前記各土台１１ａと１１ｂの前面部と当接した連結板４の左右の各張出部４ｂ，４ｃの各挿通孔５にビス（図示せず）を差し込んで、各土台１１ａと１１ｂと各張出部４ｂ，４ｃとを一体的に固着する。
【００３８】
前記各土台１１ａと１１ｂと各張出部４ｂ，４ｃとを一体的に際しては、各挿通孔５に相対する土台１１ａ，１１ｂに、前面から背面に貫通するボルト孔（図示せず）を形成したのち、各張出部４ｂ，４ｃの挿通孔５にそれぞれボルトを嵌め込み、背面に突出したボルトの先端部にナット(図示せず)を螺合すれば、両者をより強固に一体化させることができるため、地震などの振動に際しても、位置ずれの生じるおそれがない。
なお、分断された土台１１ａ，１１ｂは、これら作業が終了したのち、ボルト等によって基礎１０に固定されるものである。
【００３９】
かかる手順で配管構造物１を基礎１０上に配置したのち、前記は排水用枝管２の先端部を前記構造主体３の空間部Ｓを挿通させて外壁１２外に突出させたのち、エルボ管などを利用して排水用枝管２の先端部と前記排水集合管１４を連通させる。
【００４０】
したがって、バスルームＢからの排水は、すべて排水用枝管２を介して、基礎１０の側面に配管された一定の流れ勾配を有する排水集合管１４を通じて、公道下に敷設された下水道本管に排出されるので、基礎１０そのものや、基礎１０に囲まれた床下に給排水のための配管を一切することなく排水システムを構築することができる。
【００４１】
なお、この発明にかかる配管構造物１を、基礎１０に配置するための手順は前記方法にのみ限定されるものではなく、最終的に図１に示されるように配置できれば、その手順については特段の制限はないものである。
【産業上の利用可能性】
【００４２】
この発明にかかる建物における配管構造体は、室内に配置された各水回り設備からの排水を、建物の基礎に排水のためのスリーブ（貫通孔）を設けることなく排出することができるので、一階に配置されるあらゆる水回り設備の排水に利用することができる。
また、この配管構造体は、鉄筋コンクリート布基礎やべた基礎のいずれにも使用可能なものである。
【符号の説明】
【００４３】
１          配管用構造物
２          排水用枝管
３          構造主体
４          連結板
４ａ        切欠き部
４ｂ，４ｃ  張出部
５          挿通孔
１０        基礎
１１        土台
１２        外壁
１６        バスルームの床面
１７        バス
Ｂ          バルルーム
Ｓ          空間部
【図１】
0005725436.tif 000002
【図２】
0005725436.tif 000003